(57)【要約】【課題】電池電圧が所定電圧以下になった場合で電話帳機能及び緊急呼が必要な場合に、ユーザ操作によって電話帳参照および緊急呼のできる移動通信端末を提供すること。【解決手段】無線部、表示部、送受話部などのハードウエアコンポーネントと、前記ハードウエアコンポーネントに電源を供給する電源部と、電池電圧を監視する電池電圧監視手段とを含む移動通信端末であって、電池電圧が所定電圧になるのを検出すると通信機能や付加機能など機能の提供に係わるハードウエアコンポーネントへの電源供給をオフして機能を停止させ、電話帳機能の起動を指示するキー入力及び緊急呼を指示するキー入力に応答して電話帳機能及び緊急通話機能に係るハードウエアコンポーネントへの電源供給をオンする制御部を含む移動通信端末。。【選択図】      図１
2005303790.tif 000002
【特許請求の範囲】
【請求項１】
無線部、表示部、送受話部などのハードウエアコンポーネントと、前記ハードウエアコンポーネントに電源を供給する電源部と、電池電圧を監視する電池電圧監視手段とを含む移動通信端末において、電池電圧が所定電圧になるのを検出すると通信機能や付加機能など機能の提供に係わるハードウエアコンポーネントへの電源供給をオフして機能を停止させ、電話帳機能の起動を指示するキー入力に応答して電話帳機能に係るハードウエアコンポーネントへの電源供給をオンする制御部を含む移動通信端末。
【請求項２】
前記電話帳機能に係るハードウエアコンポーネントへの電源供給は、表示部への電源供給のオンを含む請求項１記載の移動通信端末。
【請求項３】
前記制御部は、前記電話帳機能に係るハードウエアコンポーネントへの電源供給を電話帳参照に適切な所定時間後にオフする請求項１又は２記載の移動通信端末。
【請求項４】
前記制御部は、前記所定電圧を検出してアラームを発生させ低電圧状態になったことを表示させた後に前記通信機能や付加機能などの機能に係わるハードウエアコンポーネントへの電源供給のオフを行う請求項１、２又は３記載の移動通信端末。
【請求項５】
前記制御部は、前記通信機能や付加機能など機能の提供に係わるハードウエアコンポーネントへの電源供給のオフによって全機能を停止する請求項１、２、３又は４記載の移動通信端末。
【請求項６】
無線部、表示部、送受話部などのハードウエアコンポーネントと、前記ハードウエアコンポーネントに電源を供給する電源部と、電池電圧を監視する電池電圧監視手段とを含む移動通信端末において、電池電圧が所定電圧になるのを検出すると通信機能や付加機能など機能の提供に係わるハードウエアコンポーネントへの電源供給をオフして機能を停止させ、緊急呼の起動を指示するキー入力に応答して緊急呼の発信に係るハードウエアコンポーネントへの電源供給をオンする制御部を含む移動通信端末。
【請求項７】
前記緊急呼のキー入力によって、電源供給がオンになるハードウエアコンポーネントとして、前記無線部と前記ベースバンド信号処理部と前記送話受話部とを含む請求項６記載の移動通信端末。
【請求項８】
前記制御部は、緊急呼による通話の終話操作によって前記無線部と前記ベースバンド信号処理部と前記送話受話部とへの電源供給をオフする請求項７記載の移動通信端末。
【請求項９】
無線部、表示部、送受話部などのハードウエアコンポーネントと、前記ハードウエアコンポーネントに電源を供給する電源部と、電池電圧を監視する電池電圧監視手段とを含む移動通信端末において、電池電圧が所定電圧になるのを検出すると通信機能や付加機能など機能の提供に係わるハードウエアコンポーネントへの電源供給をオフして機能を停止させ、電話帳機能の起動を指示するキー入力及び緊急呼を指示するキー入力に応答して電話帳機能及び緊急通話機能に係るハードウエアコンポーネントへの電源供給をオンする制御部を含む移動通信端末。
【発明の詳細な説明】
【技術分野】
【０００１】
本発明は携帯電話端末、ＰＨＳ、携帯情報端末など移動通信端末に関し、特に、バッテリ電圧が所定電圧より低下した場合にも電話帳参照或いは緊急呼のできるこの移動通信端末装置に関する。
【背景技術】
【０００２】
携帯電話機は内蔵するバッテリから給電を受けて動作するから、バッテリの消耗によって、バッテリが所定電圧以下になると電源供給が停止され、携帯電話機として動作しなくなる。電源供給の停止に伴い通話機能、データ通信機能などの通信機能のほかに利便性を高める各種のサービス機能のすべての機能が停止する。
【０００３】
通常の携帯電話機では、本来的機能である通話、データ通信等通信に係わる機能が動作する時に消費電力が大きくその機能の確保を保証できるレベル以下の電池電圧になると電源がオフの状態になる。電池が消耗すれば充電してやれば、携帯電話機は動作するけれども、携帯電話機を所持して外出している場合には簡単にはいかない。
【０００４】
外出時に携帯電話機の使用ができなくなると、次のような問題が発生する。すなわち、自ら所持している携帯電話機から発信通話ができないばかりでなく、携帯電話機の電話帳機能を専ら自らの電話番号を記載した手帳などの代用としている場合には、相手に公衆電話などから電話をしたくても電話番号を知ることができない。これまで各人が個別に用意していた手帳や電話帳や住所録等を携帯電話機の電話帳機能で代用する傾向は益々強まっている。
【０００５】
また、バッテリが所定電圧以下になり、電源がオフすると警察署、消防署への緊急呼を発することもできなくなってしまう。
【０００６】
前者の問題への対策として、特開２００２‐３２５１３２号公報（特許文献１）は、携帯電話機の電話帳機能を利用する場合に、電池電圧が所定電圧以下となった時に、節電電話帳モードに移行し、表示器による電話帳表示に必要な機能を除く機能を停止するように制御し、電話帳の参照ができる携帯電話機を開示している。同公報によれば、電池電圧が所定電圧以下となった場合には、節電モード時の電話帳表示手段、液晶表示手段にだけ電源を供給するようにして電話帳機能を継続して使えるようにしている。
【０００７】
一方、後者の問題に対しては、特開２００１−３５２３７２号公報（特許文献２）は、通話中に、電池が所定電圧以下になった場合に、その通話が緊急呼の通話であれば、通話を続行させるようにした移動通信端末を開示している。
【０００８】
【特許文献１】特開２００２‐３２５１３２号公報    特開２００１−３５２３７２号公報
【発明の開示】
【発明が解決しようとする課題】
【０００９】
しかしながら、特許文献１の開示する携帯電話機では、電池電圧が所定の電圧以下になっても電話帳モードを維持するための電源供給は電話帳機能に関して継続させている。
【００１０】
一方、特許文献２の開示する移動通信端末では、緊急呼での通話中に電池電圧が所定値より低下した時に、その通話を継続させるものであるが、電池電圧が所定電圧値より低下した後に新たな緊急呼を発信させ通話できるようにしたものではない。
【００１１】
本発明の目的は、電池電圧が所定電圧以下になった場合にすべての機能に関する電源供給を停止して電池の消耗を抑え、電話帳機能及び緊急呼が必要な場合に、ユーザ操作によって必要な機能を起動することによって電話帳参照および緊急呼のできる移動通信端末を提供することにある。
【課題を解決するための手段】
【００１２】
本発明によれば、無線部、表示部、送話受話部などのハードウエアコンポーネントと、前記ハードウエアコンポーネントに電源を供給する電源部と、電池電圧を監視する電池電圧監視手段とを含む移動通信端末において、電池電圧が所定電圧になるのを検出すると通信機能や付加機能など機能の提供に係わるハードウエアコンポーネントへの電源供給をオフして機能を停止させ、電話帳機能の起動を指示するキー入力に応答して電話帳機能に係るハードウエアコンポーネントへの電源供給をオンする制御部を含む移動通信端末が得られる。
【００１３】
この発明のよれば、また、無線部、表示部、送受話部などのハードウエアコンポーネントと、前記ハードウエアコンポーネントに電源を供給する電源部と、電池電圧を監視する電池電圧監視手段とを含む移動通信端末において、電池電圧が所定電圧になるのを検出すると通信機能や付加機能など機能の提供に係わるハードウエアコンポーネントへの電源供給をオフして機能を停止させ、緊急呼の起動を指示するキー入力に応答して緊急呼の発信に係るハードウエアコンポーネントへの電源供給をオンする制御部を含む移動通信端末が得られる。
【００１４】
さらに、本発明によれば、無線部、表示部、送受話部などのハードウエアコンポーネントと、前記ハードウエアコンポーネントに電源を供給する電源部と、電池電圧を監視する電池電圧監視手段とを含む移動通信端末において、電池電圧が所定電圧になるのを検出すると通信機能や付加機能など機能の提供に係わるハードウエアコンポーネントへの電源供給をオフして機能を停止させ、電話帳機能の起動を指示するキー入力及び緊急呼を指示するキー入力に応答して電話帳機能及び緊急通話機能に係るハードウエアコンポーネントへの電源供給をオンする制御部を含む移動通信端末が得られる。
【発明の効果】
【００１５】
本発明は、移動通信端末の電池電圧が所定電圧レベルより低下した場合に、通常の通信機能が停止しても、移動通信端末の電話帳機能を参照することができる。
【００１６】
また、本発明は、移動通信端末の電池電圧が所定電圧レベルより低下した場合にも、新たな緊急呼を発信して通話ができる。
【００１７】
本発明の実施形態は、電池電圧が所定電圧以下になった場合にすべての機能に関する電源供給を停止して電話帳機能及び緊急呼が必要な時に、ユーザ操作によって必要な機能を起動することによって電話帳参照および緊急呼ができるようにするものであるから、それだけ電池の消耗を抑えることができる。
【発明を実施するための最良の形態】
【００１８】
次に本発明について図面を参照して説明する。
【００１９】
図１は本発明の一実施形態に係る携帯通信端末装置を示すブロック図である。同図において、移動通信端末装置は、アンテナ（図示せず）を介して移動通信基地局に対して無線周波信号を送出し、基地局からの無線周波信号を受信する無線部１１、各種の信号処理行うベースバンド信号処理部１２、音声の入力及び音声を出力する送話受話部１３、ユーザが操作し指示入力するキー入力部１４、入出力情報を表示する表示部１５、これらを制御する主制御部２０を含む。移動通信端末装置は、さらに、エネルギー源となる電池１８と端末装置の構成部分への電源の供給を制御する電源供給制御部１６とからなる電源部１７、電池の消耗度を検出して監視する電池電圧監視検出部１９を有する。
【００２０】
無線部１１は、受信部、送信部を含み、受信部ではアンテナから受信した無線周波信号を増幅して復調する。また、復調に先立って局部信号により無線周波信号をダウンコンバートする。送信部は、基地局に送出すべき情報信号及び制御信号を変調して、電力増幅してアンテナから空中へ放射する。
【００２１】
送話／受話部１３は、音声を電気信号に変えるマイクと、通話相手からの音声信号を音声に変換するレシーバとを含む。スピーカ部（図示せず）は、着信や警告時などにアラーム音を発生する。
【００２２】
キー入力部１４は、電源キー、数字／文字などのダイヤルキー、通話／終話キー、メニューキー、カーソルキー、確定キー等の各種キーからなり、これらキーを介してユーザが情報を入力する。
【００２３】
表示部１５は液晶パネルと、その駆動制御回路と、液晶パネルに照射する光源であるバックライトを含む。そして、キー入力部からの入力等に従って対応する情報を画面表示する。
【００２４】
主制御部２０は、処理プログラムや設定情報を記臆するＲＯＭ２２、処理プログラムの実行に当たってワークエリアとして使用するＲＡＭ２３、処理プログラムを実行するＣＰＵを含む。主制御部２０は、キー入力部の入力や、無線部、ベースバンド処理部等からの信号を受け処理プログラムにしたがって無線部１１、ベースバンド処理部１２、送話受話部１３、表示部１５等の制御及びこれらの制御を通して移動通信端末装置の通信機能や付加機能を実行する。
【００２５】
電池１８のエネルギーは、電源供給制御部１６を経由して、無線部１１、ベースバンド信号処理部１２、送話受話部１３、キー入力部１４、表示部１５、スピーカ部．主制御部２０などに供給される。電源供給制御部は、電池電圧を移動通信端末装置のハードウエアコンポーネントの各々に電源を供給するための複数の配線を有する。電源供給制御部１６は、ハードウエアコンポーネントに供給する電源の供給又は停止を行うスイッチを含み、主制御部の制御の基に動作する。
【００２６】
電池電圧監視検出部１９は、電池１９の電圧を監視し所定電圧より低下すると主制御部に割込みそれを知らせる。
【００２７】
主制御部２０は、電池電圧監視検出部が、電池の電圧が所定電圧以下になると、電源制御部１６を制御し、ハードウエアコンポーネントへの電源供給のオン／オフを行う。
【００２８】
図２は、移動通信端末の状態遷移図である。同図を参照すると、移動通信端末の電源（パワースイッチ）オフ状態（Ｓ１）では、ＣＰＵを含むハードウエアへの電源供給が断の状態である。電源キーをオンすると、移動通信端末は、無線基地局からの着信制御回線内の空き発信制御回線情報に基づいて発信制御回線を捕捉し、位置登録手順を行って待受け状態（Ｓ2）に遷移する。待受け状態で発呼或いは着呼によって通話状態（Ｓ3）になり、通話が終わると待受け状態（Ｓ2）に遷移する。待受け状態で電池電圧が所定の電圧レベルより低下すると、低電圧状態１（Ｓ4）に遷移する。通話状態（Ｓ3）で所定電圧レベルより低下すると待受け状態（Ｓ2）に遷移した後、低電圧状態１（Ｓ4）に遷移する。従来、低電圧状態1（Ｓ4）からは、所定時間後に電源オフ状態（Ｓ1）に遷移する。
【００２９】
本発明では、低電圧状態2（Ｓ5）を設け、低電圧状態１（Ｓ4）に遷移して所定の手続きをした後に低電圧状態2（Ｓ5）に遷移し、この状態で、電話帳機能の参照や、緊急呼ができるようにしている。
【００３０】
図３のフローチャートを併せて参照すると、待受け状態で電池電圧が所定電圧より低下したことを電池電圧監視検出部から通知を受けた主制御部は、低電圧状態1に遷移し、その状態での処理を開始する。タイマーを起動し（Ｓ３１）、低電圧であることを知らせるためスピーカからのアラーム音発生を指示する（Ｓ３２）。そして、表示部に低電圧状態を知らる画面表示を指示する（Ｓ３３）。タイマーがカウントアップすると（Ｓ３４）、電源供給制御部１６に指示して移動通信端末のハードウエアへの電源供給をオフにする（Ｓ３５）。したがって、図１における、無線部１１、ベースバンド信号処理部１２、送話受話部１３、キー入力部１４、表示部１５や図示されていないスピーカ部、主制御部のＣＰＵを除く周辺回路などへの電源供給が停止される。この手順の後、低電圧状態２に遷移する。
【００３１】
図４は、低電圧状態２に遷移した後の主制御部が行う制御手順のフローチャートである。
【００３２】
同図を参照して低電圧状態２における主制御部の動作について説明する。低電圧状態２では，ＣＰＵは低クロックのsleepモードで動作し、キー入力のスキャンを行うが、他のハードウエアコンポーネントには電源が供給されていないから電力の消費は極めて少ない。キー入力部１４からキー入力があり（S４１）、メニューキーの押下であると、表示部１５への電源供給をオンにし（S４２）、電話帳機能を起動する（S４３）。ステップ４２で表示部に電源が供給されるから、電話帳機能の起動によって、電話帳が表示画面に表示されるので、ユーザはカーソルキーの操作により所望の電話番号を参照することができる。
【００３３】
電話帳機能を起動させた後、ガードタイマーをオンし（S４４）、設定された所定の時間が経つと（S４５）、表示部１５の電源供給をオフし（S４６）、引き続き電話帳機能を停止する（S４７）。したがって、電話帳の参照に必要な所定時間が経過すると、表示部への電源供給は再びオフになり、電源の消費を減らすことができる。電話帳機能が停止した後は、所定電圧が、低電圧状態１に遷移する基準として設定していた基準電圧１より低い基準電圧２より低下しないうちはステップ４１に戻り、必要に応じて再び電話帳を参照することができる。
【００３４】
ステップＳ４１で、キー入力がメニューキーの押下でない場合には、キー入力が緊急呼であるかどうかを判定する（S５１）。緊急呼でない場合には、ステップS４１に戻る。即ち、キー入力が電話帳機能の呼出でない場合や緊急呼でない場合には、キー入力を受付ないように主制御部は動作する。したがって，ＣＰＵ自体で消費される電力も少ない。
【００３５】
ステップ５１で、キー入力が緊急呼の場合、即ち、消防署（１１９番）又は警察署（１１０番）への発信の場合には、無線部１１への電源供給をオンにし（Ｓ５２）、ベースバンド信号処理部１２への電源供給をオンし（Ｓ５３）、送話／受話部の電源供給をオンし（Ｓ５４）、発信及び通話ができるように制御する。したがって、緊急呼が必要な場合には、電池電圧が通常の通信機能の保証のため設定している基準電圧より低下している場合でも、発信して通話をすることができる。
【００３６】
ステップＳ５５において、主制御部は、通話終了のキー入力があるかどうかを判定し（Ｓ５５）、通話が終了している場合には、無線部１１への電源供給をオフし（Ｓ５６）、ベースバンド信号処理部１２への電源供給をオフし（Ｓ５７）、送話受話部１５への電源供給をオフする（Ｓ５８）。通話が終わって、所定基準電圧２以下でない場合には、主制御部は、ユーザが必要とする場合には、電話帳参照と緊急呼の機能に対してその使用を許す。所定基準電圧２より低下すると電源オフ状態に遷移する。
【００３７】
本発明は、電池電圧が移動通信端末の通常の通信動作を保証する基準電圧より低下した場合には、ユーザに移動通信端末からの通信ができなくなったことを知らせるとともに、端末の通信機能や付加機能に係わるハードウエアコンポーネント及び表示部にかかわるハードウエアコンポーネントへの電源供給を停止して通信機能及び画面表示機能が使用できないようにし、さらにＣＰＵは低クロック動作することによって、電力の消費を抑える。ユーザが所持する端末を用いて自ら電話ができなくなり、或いは着信を受けられなくなった場合で、公衆電話を利用して相手に電話をしなければならない場面で、所持する通常の通信機能を使えなくなった端末の電話帳機能の電話帳を利用して電話番号を調べなければならない場合には、ユーザがキー入力するとキー入力がメニューキーの押下である場合には、直ちに表示部に電源を供給して表示可能とし、電話帳機能を起動するものであるから、表示部に供給される電力は、電話帳参照に必要な時間に限られる。
【００３８】
また、本発明は、電池電圧が移動通信端末の通常の通信動作を保証する基準電圧より低下した場合には、ユーザに移動通信端末からの通信ができなくなったことを知らせるとともに、端末の通信機能に係わるハードウエアコンポーネント及び表示部にかかわるハードウエアコンポーネントへの電源供給を停止して通信機能及び画面表示機能が使用できないようにし、さらにＣＰＵは低クロック動作することによって、電力の消費を抑える。その上で、緊急呼を発信しなければならない場面では、ユーザが入力するキー入力が緊急呼の電話番号及び通話キーの押下である場合には、直ちに無線部、ベースバンド信号処理部、送話受話部の電源供給をオンにしでこれらが動作するようにし、緊急呼の相手と通話できるようにするものであるから、電池電圧が所定の基準レベルより低下しても、電池の消費は抑えた状態で、緊急呼には対応できる。
【図面の簡単な説明】
【００３９】
【図１】本発明の一実施形態に係る移動通信端末のブロック図である。
【図２】本発明の説明に使用する状態遷移図である。
【図３】低電圧状態１での主制御部の動作を示すフローチャートである。
【図４】低電圧状態２での主制御部の動作を示すフローチャートである。
【符号の説明】
【００４０】
１１    無線部
１２    ベースバンド信号処理部
１３    送話受話部
１４    キー入力部
１５    表示部
１６    電源供給制御部
１７    電源部
１８    電池
１９  電池電圧監視検出部
２０  主制御部
【図１】
2005303790.tif 000003
【図２】
2005303790.tif 000004
【図３】
2005303790.tif 000005
【図４】
2005303790.tif 000006